(57)【要約】【課題】泡消火装置（ＣＡＦＳ）が備える圧縮機の潤滑油が乳化することを防止できる泡消火装置の制御方法を提供する。【解決手段】水ポンプ１０が吐出した圧力水と消火剤との混合液に圧縮空気を吹き込んで発泡した消火泡を放出する泡放水と，水ポンプ１０が吐出した圧力水をそのまま放出する通常放水を選択可能とした泡消火装置１において，前記水ポンプ１０の始動と共に前記圧縮機本体３１の駆動を開始すると共に，前記通常放水の選択により前記通常放水が開始された後においてもレシーバタンク３２内の圧縮空気を大気へ放出すると共にアンローダバルブ３３で吸気路を閉じた状態で前記圧縮機本体３１の駆動を継続し，潤滑油からドレンが分離する温度になるまで十分に圧縮機を暖機し，圧縮機本体３１の駆動に要する動力を低減する。【選択図】図１
2018117995.tif 000002
【特許請求の範囲】
【請求項１】
圧力水を吐出する水ポンプと，消火剤を供給するための消火剤ポンプ及び消火剤タンクから成る消火剤供給装置と，圧縮空気を吐出する圧縮機とを備え，前記水ポンプが吐出した圧力水に前記消火剤供給装置により前記消火剤を混合し，前記圧力水と前記消火剤との混合液に前記圧縮空気を吹き込んで発泡した消火泡を放出する泡放水と，前記水ポンプが吐出した圧力水を前記消火剤及び前記圧縮空気と混合することなくそのまま放出する通常放水とを選択可能とした泡消火装置において，
前記圧縮機は，吸入した空気を潤滑油と共に圧縮して吐出する油冷式の圧縮機本体と，前記圧縮機本体が前記潤滑油と共に吐出した圧縮空気を貯留するレシーバタンクと，前記圧縮機本体の吸気路を開閉するアンローダバルブを備え，
前記水ポンプの始動と共に前記圧縮機本体の駆動を開始し，
前記通常放水の選択により前記通常放水が開始された後においても，少なくとも前記レシーバタンク内の前記潤滑油の温度が所定の温度以上に上昇するまで，前記レシーバタンク内の圧縮空気を大気へ放出すると共に，前記アンローダバルブで前記吸気路を閉じた状態で，前記圧縮機本体の駆動を継続することを特徴とする泡消火装置の制御方法。
【請求項２】
前記泡放水時に前記レシーバタンク内の圧力が所定のアンロード運転開始圧力以上に上昇したときに，前記レシーバタンク内の圧縮空気を大気へ放出すると共に，前記アンローダバルブで吸気路を閉じることを特徴とする請求項１記載の泡消火装置の制御方法。
【請求項３】
前記レシーバタンク内の圧縮空気を大気へ放出している時，該レシーバタンク内の圧縮空気の一部を前記アンローダバルブの閉弁受圧室へ導入して前記アンローダバルブで前記吸気路を閉じることを特徴とする請求項１又は２記載の泡消火装置の制御方法。
【請求項４】
前記通常放水時において前記レシーバタンク内の前記潤滑油の温度が設定温度以上に上昇したときに前記水ポンプとは独立して前記圧縮機本体を停止させることを特徴とする請求項１〜３いずれか１項記載の泡消火装置の制御方法。
【請求項５】
圧力水を吐出する水ポンプと，消火剤を供給するための消火剤ポンプ及び消火剤タンクから成る消火剤供給装置と，圧縮空気を吐出する圧縮機とを備え，前記水ポンプが吐出した圧力水に前記消火剤供給装置により前記消火剤を混合し，前記圧力水と前記消火剤との混合液に前記圧縮空気を吹き込んで発泡した消火泡を放出する泡放水と，前記水ポンプが吐出した圧力水を前記消火剤及び前記圧縮空気と混合することなくそのまま放出する通常放水を選択可能とした泡消火装置において，
前記圧縮機は，吸入した空気を潤滑油と共に圧縮して吐出する油冷式の圧縮機本体と，前記圧縮機本体が前記潤滑油と共に吐出した圧縮空気を貯留するレシーバタンクと，前記圧縮機本体の吸気路を開閉するアンローダバルブを備え，
前記水ポンプの始動と共に前記圧縮機本体の駆動が開始されると共に，前記通常放水の選択による前記通常放水の開始後，少なくとも前記レシーバタンク内の前記潤滑油の温度が所定の温度以上に上昇するまで前記圧縮機本体の駆動が継続されるように，前記水ポンプに対し前記圧縮機本体を連結し，
一端が前記レシーバタンクに連通され，他端が大気開放された放気流路と，該放気流路を開閉する電磁弁から成る放気弁を設け，前記放気弁の二次側における前記放気流路を分岐して，分岐した一方の放気流路を前記アンローダバルブの閉弁受圧室に連通し，分岐した他方の放気流路を大気開放し，
前記通常放水が選択され，かつ，前記水ポンプの出口側圧力が所定の圧力以上に上昇している時，前記放気弁を開弁させる制御信号を出力する制御装置を設けたことを特徴とする泡消火装置。
【請求項６】
前記制御装置は，前記泡放水が選択され，かつ，前記レシーバタンク内の圧力が所定のアンロード運転開始圧力以上に上昇したとき，前記放気弁を開弁する制御信号を出力するよう構成されていることを特徴とする請求項５記載の泡消火装置。
【請求項７】
前記圧縮機本体を，電磁クラッチを介して前記水ポンプに連結し，
前記制御装置が，前記通常放水時に前記レシーバタンク内の前記潤滑油の温度が設定温度以上に上昇としたときに前記電磁クラッチを切断する制御信号を出力するよう構成したことを特徴とする請求項５又は６記載の泡消火装置。
【発明の詳細な説明】
【技術分野】
【０００１】
本発明は，泡消火装置の制御方法及び前記制御方法を実行する泡消火装置に関し，例えば，消防車両のようなＰＴＯを備えるポンプ車に搭載され，あるいは，車両のエンジンとは別に，泡消火装置に水ポンプ，圧縮機を駆動するエンジンを備えている可搬消防ポンプにおける，消火用の水に消火剤及び圧縮空気を混合して生成した消火泡を放出して消火する前記泡消火装置（ＣＡＦＳ：Compressed Air Foam System）の制御方法及び前記制御方法を実行する泡消火装置に関する。
【背景技術】
【０００２】
泡消火装置は，圧力水を吐出する水ポンプと，消火剤を供給するための消火剤ポンプ及び消火剤タンクと，圧縮空気を吐出する圧縮機とを備えていて，水ポンプが吐出した圧力水をそのまま放水する従来の放水方式（以下，「通常放水」という。）に代えて，水ポンプが吐出した圧力水に消火剤を混合し，圧力水と消火剤との混合液に圧縮空気を吹き込んで発泡させた消火泡を噴射（以下，このような消火泡の噴射を「泡放水」という。）を行うもので，前記泡放水では，高発泡させた消火泡を噴射することで水の表面積が大きくなり，気化熱を利用して効率的な冷却消火が行えると共に，少ない水での消火が可能となり，水利の悪い場所や，災害時における水不足下においても有効な消火活動を行うことが可能となる。
【０００３】
前述の水ポンプは，消火栓等の有圧水利を水源とする場合を除き，河川，池，海，消防用水，防火用水等の水源の水を汲み上げて放水する場合，始動前の水ポンプ内や水ポンプと水源をつなぐホース内に水が存在していない状態であることから，前記水ポンプ内やホース内を真空吸引して水源からの水を導入する作業，所謂「呼び水」が必要となる。
【０００４】
通常放水のみを行う消火装置は，このような呼び水をするために真空発生装置として，真空ポンプを搭載しているが，前述した泡消火装置では，この真空ポンプの代わりに圧縮機を真空発生装置として使用して前述の呼び水をすることで，真空ポンプの搭載を省略できるようにしたものも提案されている。
【０００５】
このように，圧縮機による真空吸引を可能とした泡消火装置の一例として，水ポンプの始動時に，水ポンプの入口と圧縮機の吸入路とを連通した状態で圧縮機を作動させることで，水源から水ポンプに至るホース内，及び水ポンプ内の空気を圧縮機が吸引し呼び水をすることができるようにしたものが提案されている（特許文献１の請求項１及び図１参照）。
【０００６】
また，真空発生装置として圧縮機と共に圧縮空気によって真空を発生させるエゼクタを設け，このエゼクタの細径部と水ポンプの入口側とを呼び水流路で連通することにより，水ポンプの始動時に圧縮機が吐出した圧縮空気を前記エゼクタへ供給することで水源から水ポンプに至るホース内及び水ポンプ内の空気を吸引して呼び水ができるようにした泡消火装置も提案されている（特許文献２の［0025］欄及び図１参照）。
【０００７】
なお，これらの泡消火装置が，消防車両に搭載されている場合には，走行用のエンジンを水ポンプや圧縮機の駆動源としても使用し，前記エンジンの出力軸に繋がるＰＴＯ（Power Take Off）に水ポンプ及び圧縮機を連結してこれらを駆動している。
【０００８】
また，前述した泡消火装置には，状況に応じて泡放水と，通常放水を選択して行うことができるように構成したものも提案されている（前掲の特許文献２）。
【０００９】
そして，このように放水方式を選択可能とした泡消火装置では，通常放水時には圧縮空気を使用せず，従って通常放水時に圧縮機の駆動を継続することは大きな動力損失と不要な燃料消費につながることに鑑み，圧縮機とＰＴＯを連結する回転軸に電磁クラッチを設け，通常放水時には電磁クラッチを切って圧縮機を停止させることも提案されている（前掲の特許文献２参照）。
【先行技術文献】
【特許文献】
【００１０】
【特許文献１】特許第４３４１９６９号公報
【特許文献２】特開２０１４−２３３４７０号公報
【発明の概要】
【発明が解決しようとする課題】
【００１１】
泡消火装置の日常点検項目には，「真空点検」が含まれている。この真空点検では，水ポンプ内に水を導入せず，水ポンプの入口側（中継口や吸水口等）を閉じた状態で，水ポンプ内を真空吸引して規定の真空度になるかの確認が行われる。
【００１２】
前掲の特許文献１及び２の泡消火装置では，圧縮機を使用して水ポンプ内の真空吸引が行われていることから，上記真空点検によって圧縮機が駆動される。
【００１３】
しかし，この真空点検は，前述したとおり水ポンプ内に水を導入せずに行うことから，圧縮機を，水ポンプを介してＰＴＯに接続する構成を採用する特許文献２に記載の泡消火装置では，圧縮機を駆動するためには水ポンプも同時に駆動する必要があり，水ポンプが長時間にわたり空運転されることを防止するためには，真空点検を極めて短時間（一例として３０秒程度）で終了させる必要があり，その結果，圧縮機の駆動時間も短時間となる。
【００１４】
次に，前掲の特許文献２に記載の泡消火装置では，選択した放水方式が通常放水である場合，水ポンプの始動時に圧縮機が駆動されて，水ポンプ内及び水源から水ポンプに至るホース内の空気が真空吸引されているが，呼び水が完了して，水ポンプが揚水を開始すると，ＰＴＯと圧縮機をつなぐ電磁クラッチを切断して圧縮機を停止させていることから，圧縮機の作動時間は比較的短時間（迅速な消火作業の開始をするために数十秒程度）である。
【００１５】
なお，消火装置は，定期的な放水訓練に使用され，また，定期点検（例えば１週間毎又は１ヶ月毎の点検）で放水点検が行われるが，特許文献２に記載されているように通常放水と泡放水を選択可能とした消火装置では，このような放水訓練や定期点検において泡放水は行わずに，通常放水が行われることから，放水訓練や定期点検時における圧縮機の作動時間も短時間である。
【００１６】
ここで，泡消火装置に備えた前記圧縮機は，油冷式スクリュ圧縮機であって，この油冷式スクリュ圧縮機は，シリンダ内に２本のスクリュロータを噛み合い回転可能に配置し，スクリュロータを噛み合い回転により前記シリンダ内に空気を吸入すると共に，圧縮作用空間の密封や冷却，潤滑をするために導入した潤滑油と共に圧縮して吐出する圧縮機本体と，前記圧縮機本体より潤滑油と共に吐出された圧縮空気を導入してこの圧縮空気と潤滑油とに分離するレシーバタンクを備えており，レシーバタンクで潤滑油と分離された圧縮空気を消費側に供給すると共に，レシーバタンク内に回収された潤滑油を圧縮機本体の給油口を介してシリンダ内に供給して，再度圧縮作用空間の潤滑，密封，冷却等に使用するように構成されている。
【００１７】
その結果，出動機会が少ない泡消火装置，又は，出動機会があっても通常放水での消火活動に使用される機会の多い泡消火装置の圧縮機では，前述した短時間の運転の繰り返しにより暖機されずに潤滑油の温度は低い状態に維持される。
【００１８】
前記圧縮機の圧縮機本体に吸入される空気（外気）には水蒸気が含まれていて，レシーバタンク内に導入された圧縮空気が冷却されると，圧縮空気から水蒸気がドレン（水分）となって析出し，このドレンが潤滑油内に混入し圧縮機本体に供給される。
【００１９】
潤滑油は低温時には高粘度であり，高粘度の状態の潤滑油とドレンがロータ等によって攪拌されると，この攪拌によってドレンが潤滑油と混合し，潤滑油と水とに分離し難くなる。さらに潤滑油とドレンが分離されない混合状態で繰り返し撹拌されるとドレンが潤滑油中に分散されて取り込まれ乳化する。このように潤滑油が乳化すると，クリーム状となって循環し難くなり本来の性能を発揮しなくなる。このような潤滑油の乳化の発生を防止するためには，定期的にレシーバタンク内の底部に溜まったドレンを排出することが不可欠であるが，潤滑油が低温かつ高粘度の状態であると，潤滑油とドレンとの混合状態が維持され，ドレンのみの排出ができない。そこで，潤滑油の温度を十分に上昇させるために通常放水時においても圧縮機を停止することなく，常に作動させておき，圧縮機の温度を上昇させることも考えられる。
【００２０】
しかし，この構成では，通常放水時には，放水をするために必要とされない圧縮空気を吐出するために，圧縮機を駆動し続ける動力が増え，水ポンプに対し十分な動力を供給するためにはエンジンの大型化等の対応が必要となり，また，エンジンの大型化等によって対応する場合，燃料消費量が増大してランニングコストがかかることから，前掲の特許文献２に記載の発明の説明で記載した問題点が再度，生じることとなる。
【００２１】
なお，特許文献２に記載の泡消火装置では，圧縮機は水ポンプを介してＰＴＯに接続されていることから，圧縮機を駆動するには水ポンプの駆動も必須となる。
【００２２】
その結果，圧縮機のみ駆動して暖機運転することはできず，潤滑油からドレンが分離する温度（５０℃〜６０℃）になるまで十分に圧縮機を暖機しようとすれば，比較的長時間（５分間以上）継続して圧縮機と共に水ポンプを駆動する必要があり，水ポンプ内に水を導入することなく，長時間にわたって空運転を行えば，水ポンプが破損するおそれがある。
【００２３】
圧縮機の暖機運転をするときに，このような水ポンプの破損を防止するには，泡消火装置の吸水口を水源につないで水ポンプに水を導入する必要があり，圧縮機の暖機運転を実施しようとすれば，水源の確保と，水ポンプが吐出した水を受けるための設備が必要で，しかも，暖機運転中に発生する騒音に対する対策も必要となることから，消防署等で実施することが難しく，このような暖機運転を実施できる条件が限られてしまい有効な解決策とはなっていない。
【００２４】
そこで本発明は，上記従来技術における欠点を解消するために成されたものであり，出動する機会が少ない，あるいは，出動する機会が多い場合であっても通常放水による消火に使用される機会が多い泡消火装置であっても，圧縮機の潤滑油が乳化することを防止でき，しかも，圧縮機を駆動し続ける動力を抑え，エンジンの大型化等を伴うことなく，水ポンプに対する十分な動力供給についても行うことができ，燃料消費量の増大を最小限に抑えた泡消火装置の制御方法，及び前記制御方法が実施される泡消火装置を提供することを目的とする。
【課題を解決するための手段】
【００２５】
以下に，課題を解決するための手段を，発明を実施するための形態で使用する符号と共に記載する。この符号は，特許請求の範囲の記載と，発明を実施するための形態の記載との対応を明らかにするためのものであり，言うまでもなく，本願発明の技術的範囲の解釈に制限的に用いられるものではない。
【００２６】
上記目的を達成するために，本発明の泡消火装置１の制御方法は，
圧力水を吐出する水ポンプ１０と，消火剤を供給するための消火剤ポンプ２２及び消火剤タンク２１から成る消火剤供給装置２０と，圧縮空気を吐出する圧縮機３０とを備え，前記水ポンプ１０が吐出した圧力水に前記消火剤供給装置２０により前記消火剤を混合し，前記圧力水と前記消火剤との混合液に前記圧縮空気を吹き込んで発泡した消火泡を放出する泡放水と，前記水ポンプ１０が吐出した圧力水を前記消火剤及び前記圧縮空気と混合することなくそのまま放出する通常放水とを選択可能とした泡消火装置において，
前記圧縮機３０は，吸入した空気を潤滑油と共に圧縮して吐出する油冷式の圧縮機本体３１と，前記圧縮機本体３１が前記潤滑油と共に吐出した圧縮空気を貯留するレシーバタンク３２と，前記圧縮機本体３１の吸気路を開閉するアンローダバルブ３３を備え，
前記水ポンプ１０の始動と共に前記圧縮機本体３１の駆動を開始し，
前記通常放水の選択により前記通常放水が開始された後においても，少なくとも前記レシーバタンク３２内の前記潤滑油の温度が所定の温度以上に上昇するまで，前記レシーバタンク３２内の圧縮空気を大気へ放出すると共に，前記アンローダバルブ３３で前記吸気路を閉じた状態で前記圧縮機本体３１の駆動を継続することを特徴とする（請求項１）。
【００２７】
前述した泡消火装置の制御方法において，前記泡放水時に前記レシーバタンク３２内の圧力が所定のアンロード運転開始圧力以上に上昇し，好ましくはこの圧力が所定時間継続したときに，前記レシーバタンク３２内の圧縮空気を大気へ放出すると共に，前記アンローダバルブ３３で吸気路を閉じるように構成しても良い（請求項２）。
【００２８】
上記いずれの構成においても，前記レシーバタンク３２内の圧縮空気を大気へ放出している時，レシーバタンク３２内の圧縮空気の一部を前記アンローダバルブ３３の閉弁受圧室へ導入して前記アンローダバルブ３３で前記吸気路を閉じるように構成することが好ましい（請求項３）。
【００２９】
なお，アンローダバルブ３３としては，一例として図５に示すように前記吸気路を開閉する弁体３３１と，該弁体３３１に向かって進退移動可能なピストン３３２と，前記ピストン３３２を摺動可能に収容するシリンダ３３３と，前記弁体３３１より離間する方向に前記ピストン３３２を付勢するバネ３３４を備え，前記シリンダ３３３内を前記ピストン３３２のフランジ３３２ｂによって区切り，一方側に前記バネ３３４を収容するバネ室３３３ａ，他方側に圧縮空気を導入する前記閉弁受圧室３３３ｂを形成し，この閉弁受圧室３３３ｂ内にレシーバタンク３２内の圧縮空気を導入すると，ピストン３３２がバネ３３４の付勢力に抗して弁体３３１に向かって移動し，ピストン３３２のピストン軸３３２ａが弁体３３１の弁軸３３１ａに突合して弁座３３５に弁体３３１のフランジ３３１ｂを押し当てて吸気路を閉じるように構成したものを使用可能である。
【００３０】
もっとも，本発明で使用可能なアンローダバルブ３３は上記構成に限定されず，バタフライバルブ等の圧縮機本体３１の吸気制御に使用される既知の各種のバルブを使用することができ，前述の閉弁受圧室とは，圧縮空気の導入によってアンローダバルブ３３の弁体に吸入路の閉動作を行わせるための受圧室であれば，上記構成のものに限定されない。
【００３１】
なお，圧縮機本体３１は水ポンプ１０の駆動中，常に駆動されるように構成するものとしても良いが，通常放水時において前記レシーバタンク３２内の前記潤滑油の温度が設定温度以上に上昇したときに前記水ポンプ１０とは独立して前記圧縮機本体３１を停止させるようにしても良い（請求項４）。
【００３２】
また，本発明の泡消火装置１は，
圧力水を吐出する水ポンプ１０と，消火剤を供給するための消火剤ポンプ２２及び消火剤タンク２１から成る消火剤供給装置２０と，圧縮空気を吐出する圧縮機３０とを備え，前記水ポンプ１０が吐出した圧力水に前記消火剤供給装置２０により前記消火剤を混合し，前記圧力水と前記消火剤との混合液に前記圧縮空気を吹き込んで発泡した消火泡を放出する泡放水と，前記水ポンプ１０が吐出した圧力水を前記消火剤及び前記圧縮空気と混合することなくそのまま放出する通常放水を選択可能とした泡消火装置１において，
前記圧縮機３０は，吸入した空気を潤滑油と共に圧縮して吐出する油冷式の圧縮機本体３１と，前記圧縮機本体３１が前記潤滑油と共に吐出した圧縮空気を貯留するレシーバタンク３２と，前記圧縮機本体３１の吸気路を開閉するアンローダバルブ３３を備え，
前記水ポンプ１０の始動と共に前記圧縮機本体３１の駆動が開始されると共に，前記通常放水の選択による前記通常放水の開始後，少なくとも前記レシーバタンク３２内の前記潤滑油の温度が所定の温度以上に上昇するまで前記圧縮機本体３１の駆動が継続されるように，前記水ポンプ１０に対し前記圧縮機本体３１を連結し，
一端が前記レシーバタンク３２に連通され，他端が大気開放された放気流路４２と，該放気流路４２を開閉する電磁弁から成る放気弁４１を設け，前記放気弁４１の二次側における前記放気流路を分岐して，分岐した一方の放気流路３４２ａを前記アンローダバルブ３３の閉弁受圧室に連通し，分岐した他方の放気流路３４２ｂを大気開放し，
前記通常放水が選択され，かつ，前記水ポンプ１０の出口側圧力が所定の圧力以上に上昇している時，前記放気弁４１を開弁させる制御信号を出力する制御装置５０を設けたことを特徴とする（請求項５：図１参照）。
【００３３】
上記構成の泡消火装置１において，前記制御装置５０は，前記泡放水が選択され，かつ，前記レシーバタンク３２内の圧力が所定のアンロード運転開始圧力以上に上昇し，好ましくはこの圧力が所定時間継続したとき，前記放気弁４１を開弁する制御信号を出力するように構成しても良い（請求項６，図２及び図４参照）。
【００３４】
更に，前記圧縮機本体３１を，電磁クラッチ３７を介して前記水ポンプ１０に連結し，
前記制御装置５０を，前記通常放水時に前記レシーバタンク３２内の前記潤滑油の温度が設定温度以上に上昇としたときに前記電磁クラッチ３７を切断する制御信号を出力するよう構成するものとしても良い（請求項７；図３及び図４参照）。
【発明の効果】
【００３５】
以上で説明した本発明の構成により，本発明の泡消火装置１では，以下の顕著な効果を得ることができた。
【００３６】
前記水ポンプ１０の始動と共に前記圧縮機本体３１の駆動を開始すると共に，前記通常放水の選択によって前記通常放水が開始された後においても，少なくとも前記レシーバタンク３２内の前記潤滑油の温度が所定の温度以上に上昇するまで前記圧縮機本体３１の駆動を継続し，泡放水に使用される機会が少なく，かつ，圧縮機の暖機運転が行われる機会が少ない泡消火装置１であっても，例えば定期的に行われる放水訓練時や放水点検時等，通常放水が行われる際に圧縮機３０を暖機運転することができ，潤滑油の温度を十分に上昇させることにより再度，潤滑油と水とに分離することが可能で，定期的にレシーバタンク内の底部に溜まったドレンを排出することができるので，潤滑油とドレンが分離されない混合状態で繰り返し撹拌され続けて潤滑油が乳化することを防止できた。
【００３７】
しかも，通常放水時における圧縮機本体３１の駆動は，アンローダバルブ３３で吸気路を閉じたアンロード運転の状態で行われているだけでなく，更にレシーバタンク３２内の圧縮空気を大気へ放出した状態で行われ，アンロード運転時以上に圧縮機本体を駆動するために必要な動力が軽減されていることから，エンジン３の大型化等を伴うことなく通常放水時の水ポンプ１０の駆動に必要な動力を確保しつつ，圧縮機３０の暖機運転が可能であると共に，燃料消費量の増大を抑制することができた。
【００３８】
前記泡放水時においても，前記レシーバタンク３２内の圧力が所定のアンロード運転開始圧力以上に上昇してアンローダバルブ３３で吸入路を閉じたアンロード運転を開始すると共に，このアンロード運転が開始されて所定時間が経過すると，前記レシーバタンク３２内の圧縮空気を大気へ放出するようにした構成では，泡放水が選択されている場合，泡放水を停止して圧縮空気が消費されずにレシーバタンク３２内の圧力がアンロード運転開始圧力以上に上昇すると，前記アンローダバルブ３３が吸気路を閉じて圧縮機本体３１への吸入を停止するだけでなく，更に，レシーバタンク３２内の圧縮空気を放出して圧縮機本体３１の吐出側の圧力を低下させ，圧縮機本体３１の駆動に要する動力を低減することができ，エンジン３の燃料消費量を低減することができた。
【００３９】
大気開放された放気流路４２の他端側を，アンローダバルブ３３の閉弁受圧室にも連通して，レシーバタンク３２内の圧縮空気を大気へ放出する際にこの圧縮空気の一部をアンローダバルブ３３の閉弁受圧室に導入してアンローダバルブ３３で吸気路を閉じるようにした構成では，放気によってレシーバタンク３２内の圧力がアンローダバルブ３３の作動に必要な圧力（設定により異なるが，一例として０．１〜０．２MPa程度の範囲内における所定の圧力）を下回るとアンローダバルブ３３が微かに開いて圧縮機本体３１は少量の圧縮空気を吐出してレシーバタンク３２内の圧力をアンローダバルブ３３の作動に必要な圧力に維持するように動作する。
【００４０】
その結果，上記構成の泡消火装置１では，レシーバタンク３２内の圧縮空気を大気放出させた場合であっても，レシーバタンク３２内の圧力は大気圧（ゲージ圧ゼロ）までは低下せず，圧力が残った状態となっていることから，レシーバタンク３２内の圧力で潤滑油を圧縮機本体３１のシリンダ内へ供給し，潤滑油を循環することができ，潤滑油の温度を高く維持することが可能である。更に，通常放水時において，レシーバタンク３２内の潤滑油の温度が設定温度以上に上昇したときに水ポンプ１０と圧縮機本体３１間に設けた電磁クラッチを解除して水ポンプ１０とは独立して圧縮機本体３１を停止させた場合には，潤滑油からドレンが分離する温度になるまで十分に圧縮機が暖機され，圧縮機を停止しても潤滑油からドレンを分離できる状態になったとき，圧縮機３０を停止させてエンジン３にかかる負荷の更なる低減を図り，燃料消費量を低減することができた。
【図面の簡単な説明】
【００４１】
【図１】本発明の泡消火装置の車載型の実施例を示す説明図。
【図２】本発明の泡消火装置の車載型の他の実施態様を示す説明図。
【図３】本発明の泡消火装置の車載型の別の実施態様を示す説明図。
【図４】本発明の泡消火装置の車載型の更に別の実施態様を示す説明図。
【図５】アンローダバルブの断面図。
【図６】本発明の泡消火装置の動作を説明したフロー図。
【図７】本発明の泡消火装置の動作を説明したフロー図（図６の続き）。
【発明を実施するための形態】
【００４２】
以下に，本発明の実施例につき添付図面を参照しながら説明するが，本発明の構成は，以下に示す実施例に限定されない。なお，図１〜図４，図６及び図７は，車載型の泡消火装置に本発明を適用した場合の実施例である。
【実施例１】
【００４３】
〔泡消火装置の全体構成〕
図１は，消防車両に搭載される本発明の泡消火装置（ＣＡＦＳ）１の実施例を示した説明図であり，この泡消火装置１は，水ポンプ１０と，前記水ポンプ１０が吐出した圧力水に消火剤を混合させて混合液を生成する消火剤供給装置２０，及び前記混合液を発泡させるために吹き込む圧縮空気を吐出する圧縮機３０を備え，本発明の泡消火装置１では，前記混合液に前記圧縮空気を吹き込むことにより発泡させた消火泡を放出する泡放水と，前記水ポンプ１０が吐出した圧力水を前記消火剤及び前記圧縮空気を混合することなくそのまま放出する通常放水を選択することができるように構成されている。
【００４４】
〔水ポンプ〕
前述した水ポンプ１０は，水源の水を汲み上げると共に圧送して圧力水を吐出するもので，既知のターボポンプ等を水ポンプ１０として採用することができる。
【００４５】
この水ポンプ１０の入口１０ａは，吸水流路８１を介して吸水口６１に連通され，この吸水口６１に消火栓，河川，池，海，消防用水，防火用水等の，図示せざる水源が連通される。
【００４６】
また，水ポンプ１０の出口１０ｂは，圧力水流路８２を介して放水口（６２，６３）に連通され，この放水口（６２，６３）に連結したホース及びノズル（いずれも図示せず）を介して放水を行うことができるように構成されている。
【００４７】
図示の例では，水ポンプ１０の出口１０ｂは，泡放水又は通常放水を選択的に行うことができる第１放水口６２と，通常放水のみ可能な第２放水口６３に前述の圧力水流路８２を介して連通されている。
【００４８】
前述の圧力水流路８２は，水ポンプ１０の出口１０ｂに連通された主流路８２１と，この主流路８２１に設けた逆止弁ＣＶ２の二次側を分岐して形成された泡放水用流路８２２及び通常放水用流路８２３によって構成され，前記逆止弁ＣＶ２の一次側において前記第２放水口６３を前記主流路８２１に連通することで前記第２放水口６３を介して通常放水を行うことができるように構成されている。
【００４９】
また，前記通常放水用流路８２３には，これを開閉する電磁開閉弁ＳＶ１が設けられており，この電磁開閉弁ＳＶ１が通常放水用流路８２３を開いている時，第１放水口６２に水ポンプ１０が吐出した圧力水を直接導入することができるように構成されていると共に，前記電磁開閉弁ＳＶ１が通常放水用流路８２３を閉じることで，水ポンプ１０が吐出した圧力水を，泡放水用流路８２２を介して第１放水口６２に導入することで，泡放水用流路中８２２で圧力水に後述する消火剤供給装置２０からの消火剤と，圧縮機３０からの圧縮空気を導入して発泡させて得た消火泡によって，泡放水を行うことができるように構成されている。
【００５０】
〔消火剤供給装置〕
水ポンプ１０が吐出した圧力水に消火剤を混合する前述の消火剤供給装置２０は，消火剤が貯留された消火剤タンク２１と，該消火剤タンク２１内の消火剤を汲み上げる消火剤ポンプ２２を備え，この消火剤ポンプ２２の出口を，逆止弁ＣＶ１を介して泡放水用流路８２２に連通することで，消火剤ポンプ２２が汲み上げた消火剤を，水ポンプ１０が吐出した圧力水に合流させて水と消火剤の混合液を生成することができるように構成されている。
【００５１】
〔圧縮機〕
圧縮機３０は，水ポンプ１０が吐出した圧力水と消火剤との混合液を発泡させるために前記混合液に吹き込む圧縮空気を吐出するもので，圧縮機３０が吐出した圧縮空気を導入する空気供給路８３（発泡用空気供給路８３２）を消火剤供給装置２０との連通位置の下流側で前記泡放水用流路８２２に連通することで，圧力水と消火剤の混合液に圧縮空気を吹き込むことができるように構成されている。
【００５２】
この圧縮機３０は，シリンダ内に２本のスクリュロータを噛み合い回転可能に配置し，スクリュロータを噛み合い回転により前記シリンダ内に空気を吸入すると共に，圧縮作用空間の密封や冷却，潤滑をするために導入した潤滑油と共に圧縮して吐出する油冷式のスクリュ圧縮機である圧縮機本体３１と，前記圧縮機本体３１が潤滑油と共に吐出した圧縮空気を導入してこの圧縮空気と潤滑油とに分離するレシーバタンク３２を備えており，このレシーバタンク３２で潤滑油と分離された圧縮空気を消費側に供給すると共に，レシーバタンク内に回収された潤滑油を圧縮機本体の給油口を介してシリンダ内に供給して，再度圧縮作用空間の潤滑，密封，冷却等に使用するように構成されている。
【００５３】
また，圧縮機３０は更に圧縮機本体３１の吸気路を開閉するアンローダバルブ３３を備えると共に，このアンローダバルブ３３の開閉動作を制御してレシーバタンク３２内の圧力が設定された所定の圧力となるよう圧縮機本体３１に対する吸気を制御する吸気制御装置３４を備えている。
【００５４】
本実施例では，図５に示すようにアンローダバルブ３３として，前記吸気路を開閉する弁体３３１と，該弁体３３１に向かって進退移動可能なピストン３３２と，前記ピストン３３２を摺動可能に収容するシリンダ３３３と，前記弁体３３１より離間する方向に前記ピストン３３２を付勢するバネ３３４を備え，前記シリンダ３３３内を前記ピストン３３２のフランジ３３２ｂによって区切り，一方側に前記バネ３３４を収容するバネ室３３３ａ，他方側に圧縮空気を導入する前記閉弁受圧室３３３ｂを形成し，この閉弁受圧室３３３ｂ内にレシーバタンク３２内の圧縮空気を導入すると，ピストン３３２がバネ３３４の付勢力に抗して弁体３３１に向かって移動し，ピストン３３２のピストン軸３３２ａが弁体３３１の弁軸３３１ａに突合して弁座３３５に弁体３３１のフランジ３３１ｂを押し当てて吸気路を閉じるように構成している。  また，前述のレシーバタンク３２は，逆止弁ＣＶ６（図２）を設けた主空気供給路８３１を介して電磁切替弁ＳＶ２のコモンポートＣに連通され，この電磁切替弁ＳＶ２の第１ポートを，発泡用空気供給路８３２を介して泡放水用流路８２２に連通すると共に，第２ポートを，真空発生用空気供給路８３３を介して後述する真空発生装置７０のエゼクタ７１に連通している。
【００５５】
従って，電磁切替弁ＳＶ２の切り替えにより，空気供給路８３（８３１，８３２，８３３）を介してレシーバタンク３２内の圧縮空気を，泡放水用流路８２２，又はエゼクタ７１のいずれかに選択的に導入することができるように構成されている。
【００５６】
圧縮機本体３１の吸気路に設けたアンローダバルブ３３の動作を制御して圧縮機本体３１に対する吸気を制御する前述の吸気制御装置３４として，図１の泡消火装置１では，レシーバタンク３２とアンローダバルブ３３の閉弁受圧室３３３ｂ間を連通する制御流路３４２と，前記制御流路３４２を開閉する圧力レギュレータ３４１から成る既知の吸気制御装置に加え，前述した発泡用空気供給路８３２をアンローダバルブ３３の閉弁受圧室に連通する第２制御流路３４３と，この第２制御流路３４３を開閉する均圧弁３４４を設けている。
【００５７】
前述の圧力レギュレータ３４１は，制御流路３４２に導入されるレシーバタンク３２内の圧力に応じて開閉動作し，レシーバタンク３２内の圧力が低く圧力レギュレータ３４１が閉じた状態では制御流路３４２を介してアンローダバルブ３３の閉弁受圧室に対する圧縮空気の導入が行われずにアンローダバルブ３３が全開したフルロード運転の状態にあるが，レシーバタンク３２内の圧力が上昇して圧力レギュレータ３４１が開き始めると，制御流路３４２を介してレシーバタンク３２内の圧縮空気がアンローダバルブ３３の閉弁受圧室に導入されて圧縮機本体３１に対する吸気が絞られ，更にレシーバタンク３２内の圧力が所定のアンロード運転開始圧力以上に上昇するとアンローダバルブ３３が完全に閉じて圧縮機本体３１がアンロード運転に移行することで，レシーバタンク３２内の圧力が，圧力レギュレータ３４１の作動圧力によって決まる所定の圧力に維持されるように構成されている。
【００５８】
また，前述の均圧弁３４４は，一端を発泡用空気供給路８３２，他端をアンローダバルブ３３の閉弁受圧室に連通した第２制御流路３４３を開閉することで，泡放水の選択時，均圧弁３４４が第２制御流路３４３を開くことで，アンローダバルブ３３を絞り又は閉じることができるように構成されている。
【００５９】
この均圧弁３４４は，発泡用空気供給路８３２を介して導入されたレシーバタンク３２内の圧縮空気と，対比圧導入路８４を介して導入された主流路８２１内の圧力水の圧力差によって動作し，レシーバタンク３２内の圧縮空気の圧力が，主流路８２１内の圧力水の圧力よりも低い場合には第２制御流路３４３を閉じ，圧縮空気の圧力が圧力水の圧力よりも高くなると第２制御流路３４３を開いてアンローダバルブ３３を閉じるように構成されており，発泡用空気供給路８３２に対する圧縮空気の導入が行われているとき，すなわち，電磁切替弁ＳＶ２がコモンポートＣと第１ポート間を連通させて泡放水が行われている際に，圧力水の圧力と圧縮空気の圧力がバランスするように圧縮機本体３１の吸気制御を行う。
【００６０】
なお，図示の実施形態では前述した制御流路３４２の他端側を分岐して，一方３４２ａをアンローダバルブ３３の閉弁受圧室に連通するとともに，他方３４２ｂをアンローダバルブ３３の一次側に連通している。
【００６１】
また，前述の第２制御流路３４３は，一端を発泡用空気供給路８３２に，他端を圧力レギュレータ３４１の二次側における制御流路３４２を介してアンローダバルブ３３の閉弁受圧室に連通したことで，均圧弁３４４の開弁時にも，レシーバタンク３２内の圧縮空気がアンローダバルブ３３の閉弁受圧室に導入される。
【００６２】
〔真空発生装置〕
図１中の符号７０は真空発生装置であり，始動時に呼び水を導入する必要がある水ポンプ１０に対し，水源の水を汲み上げて呼び水するために使用する。
【００６３】
図１に示す実施例においてこの真空発生装置７０は，圧縮機３０からの圧縮空気が導入されるエゼクタ７１と，エゼクタ７１の細径部に連通された呼び水流路７２，及び前記呼び水流路７２に設けられた逆止弁ＣＶ３及び止水弁７３によって構成され，レシーバタンク３２内の圧縮空気を，真空発生用空気供給路８３３を介してエゼクタ７１に導入することで，エゼクタ７１の細径部を通過する圧縮空気の流速を増大させて圧力を低下させ，エゼクタ７１の細径部に連通された呼び水流路７２及びこれに連通した吸水流路８１内を真空吸引することができるように構成されている。
【００６４】
〔放気弁〕
なお，本発明の泡消火装置１では，レシーバタンク３２を大気開放する放気流路４２を設けると共に，この放気流路４２を開閉する電磁開閉弁から成る放気弁４１を設け，放気弁４１による放気流路４２の開放時，レシーバタンク３２内の圧縮空気を大気放出することができるように構成している。
【００６５】
図２に示す本実施形態にあっては，逆止弁ＣＶ６の一次側の主空気供給路８３１にこの放気流路４２の一端を接続して，放気流路４２が主空気供給路８３１を介してレシーバタンク３２と連通し，他端を，圧力レギュレータ３４１の二次側における制御流路３４２を介して大気開放している。
【００６６】
その結果，放気弁４１の開弁によってレシーバタンク３２内の圧縮空気を放気すると，レシーバタンク３２内の圧縮空気の一部はアンローダバルブ３３の閉弁受圧室内にも導入されるため，放気時，アンローダバルブ３３を閉じ圧縮機本体３１をアンロード運転に移行することができるようになっている。
【００６７】
このように，レシーバタンク３２内の圧縮空気を放気している際，アンローダバルブ３３はレシーバタンク３２内の圧力によって閉弁されることから，レシーバタンク３２内の圧力がアンローダバルブ３３の作動圧力（設定により異なるがおよそ０．１〜０．２MPaの範囲内における所定の圧力）を下回るとアンローダバルブ３３が僅かに開いて圧縮機本体３１が吸気を開始して圧縮空気を吐出するため，放気弁４１の開弁時においても，レシーバタンク３２内の圧力は，アンローダバルブ３３の作動圧力に維持され，大気圧（ゲージ圧ゼロ）までは低下しない。
【００６８】
〔ＰＴＯに対する連結〕
更に，本発明の泡消火装置１を車載型に適用する実施例では，前述した水ポンプ１０と圧縮機本体３１を，共通の回転軸７によって連結すると共に，この回転軸７をＰＴＯ５に連結して，ＰＴＯ５をＯＮにしてＰＴＯ５よりエンジン３の出力を取り出すと，水ポンプ１０と圧縮機本体３１が共に作動を開始し，ＰＴＯ５をＯＦＦにしてエンジン３の出力取り出しを停止するか，又はエンジン３を停止するまで，水ポンプ１０と圧縮機本体３１が共に駆動され続けるように構成した。
【００６９】
〔その他〕
なお，図１中の符号５０は予め記憶しているプログラムの実行により各部の動作を制御する制御装置（電子制御装置）であり，前述したプログラムの実行により，操作パネル９０を介して行われた入力の内容，及び主流路８２１内の圧力を検知する圧力検知手段ＰＳ１の検知信号に基づき，放気弁４１及び電磁開閉弁ＳＶ１の開閉を制御する制御信号を出力すると共に，電磁切替弁ＳＶ２の切替信号を出力する。
【００７０】
〔動作〕
以上で説明した図１に記載の本発明を車載型に適用する泡消火装置の動作例を，図６及び図７のフロー図を参照しながら以下に説明する。
【００７１】
一般的な消防車両では，エンジン３を作動させて停車状態において，サイドブレーキをかけて走行ギヤをニュートラルにするとＰＴＯ５をＯＮにすることができるようになっており，この状態でＰＴＯ５をＯＮにすると（マニュアル車の場合には更にクラッチをつなぐ操作が必要な場合あり），エンジン３の出力がＰＴＯ５より取り出される（Ｓ１）。
【００７２】
これにより，ＰＴＯ５に連結された水ポンプ１０と圧縮機本体３１の駆動が共に開始される（Ｓ２）。
【００７３】
通常放水及び泡放水のいずれの放水を選択するかに拘わらず，有圧水利以外の水源を利用する場合には，放水を行うにあたって吸水流路８１内を真空吸引して水ポンプ１０に呼び水をする必要がある。この場合，前述した操作パネル９０に設けた真空作動ボタン（図示せず）をＯＮにして，真空発生装置７０による真空吸引の開始を指令する（Ｓ３）。
【００７４】
真空作動ボタンが押されたことを検知した制御装置５０は，放気弁４１を閉じ，かつ，電磁切替弁ＳＶ２をコモンポートと第２ポートを連通させた切替位置に切り替える（Ｓ４）。
【００７５】
放気弁４１の閉弁により圧力上昇したレシーバタンク３２内の圧縮空気は，主空気供給路８３１，電磁切替弁ＳＶ２及び真空発生用空気供給路８３３を介して真空発生装置７０のエゼクタ７１に導入され，エゼクタ７１の細径部に連通された呼び水流路７２を介して吸水流路８１内の真空吸引を開始する（Ｓ５）。
【００７６】
上記真空発生装置７０の作動が呼び水を目的としたものではなく，消防車両の点検時に行う真空点検を目的としたものである場合，吸水流路８１内の圧力を表示する真空計が規定の真空度を表示したとき，真空検査を終了するために操作パネル９０の真空作動ボタンをＯＦＦにする（Ｓ６）。
【００７７】
真空作動ボタンのＯＦＦにより，制御装置５０は放気弁４１に対し開弁信号を出力して放気弁４１を開き（Ｓ８），レシーバタンク３２内の圧縮空気が大気放出されると共に，アンローダバルブ３３が閉じる（Ｓ９）。この状態にて，点検を終了する場合には，ＰＴＯをＯＦＦにし，又はエンジンを停止させる。
【００７８】
前述した真空発生装置７０の作動が真空点検を目的としたものではなく，放水のための呼び水の導入を目的としたものである場合，真空作動ボタンをＯＮに維持したまま放置すると，吸水流路８１内の真空吸引によって吸水口６１に連通された水源からの水が吸い上げられて水ポンプ１０内に呼び水が行われる。
【００７９】
この呼び水により，水ポンプ１０は水の汲み上げと圧送を開始し，水ポンプ１０の二次側の圧力（主流路８２１内の圧力）が上昇する。
【００８０】
圧力検知手段ＰＳ１からの検知信号によって主流路８２１内の圧力を監視する制御装置５０は，この圧力上昇を検知した圧力検知手段ＰＳ１の検知信号に基づいて水ポンプ１０が圧力水の吐出を開始したと判断し（Ｓ７），放気弁４１に対し開弁信号を出力して放気弁４１を開く（Ｓ８）。
【００８１】
放気弁４１の開弁によりレシーバタンク３２内の圧縮空気は放気流路４２，制御流路３４２を介してアンローダバルブ３３の一次側に導入され，エアフィルタ６５を介して大気放出されると共に，レシーバタンク３２内の圧縮空気の一部がアンローダバルブ３３の閉弁受圧室に導入されてアンローダバルブ３３が吸気路を閉じ，圧縮機本体３１をアンロード運転に移行する（Ｓ９：以後図７に続く）。
【００８２】
操作パネル９０の操作によって放水形式として通常放水が選択されている場合（図７のＳ１０でＣＡＦＳ作動ボタンがＯＦＦ設定の場合），制御装置５０は電磁開閉弁ＳＶ１を開き（Ｓ１１），第１放水口６２と第２放水口６３の双方に，水ポンプ１０が吐出した圧力水を直接導入することができるようにする。
【００８３】
これにより，第１放水口６２及び第２放水口６３のいずれからも水ポンプが吐出した圧力水をそのまま取り出して通常放水を行うことができる（Ｓ１４）。
【００８４】
通常放水時，圧縮機本体３１はアンローダバルブ３３を閉じた状態を維持して駆動されることから，圧縮機本体３１への吸入を停止し，かつレシーバタンク３２内の圧縮空気を大気へ放出して圧縮機本体３１の吐出側の圧力を低下させた状態を維持して駆動されているため，圧縮機本体３１は極めて負荷の小さな状態で駆動されており，その駆動に費やされる動力は僅かである。
【００８５】
一方，圧縮機本体３１は前述したように低負荷の状態で駆動されていることから，その発熱量は比較的少ないが，通常放水が行われている間中，水ポンプ１０と共に比較的長時間，継続して駆動されることから，圧縮機本体３１の温度は徐々に上昇し，混合状態の潤滑油から水を分離するために必要な温度（約５０〜６０℃）よりも高い温度に上昇させることができ，これにより潤滑油の乳化を防止することができる。
【００８６】
一方，操作パネル９０のＣＡＦＳ作動ボタン（図示せず）をＯＮにして，泡放水を選択している場合（図７のＳ１０），制御装置５０は放気弁４１を閉じ，電磁開閉弁ＳＶ１を閉じると共に，電磁切替弁ＳＶ２を，コモンポートと第１ポートを連通する切替位置に切り替える（Ｓ１２）。
【００８７】
これにより，水ポンプ１０が吐出した圧力水は，主流路８２１から泡放水用流路８２２を通り，この泡放水用流路８２２内で消火剤供給装置２０から供給された消火剤と混合されて混合液となり，この混合液にレシーバタンク３２から主空気供給路８３１及び発泡用空気供給路８３２を介して導入された圧縮空気が吹き込まれて消火泡が生成され，この消火泡を，第１放水口６２に連通されたホース及びノズルを介して放出する泡放水が行われる（Ｓ１３）。
【実施例２】
【００８８】
図１を参照して説明した本発明の泡消火装置１において，泡放水時，レシーバタンク３２内の圧力は均圧弁３４４によるアンローダバルブ３３の制御によって所定の圧力に維持されており，レシーバタンク３２の放気は行われない。
【００８９】
これに対し，図２に示す泡消火装置では，泡放水時であっても，放水が停止してレシーバタンク３２内の圧力（発泡用空気供給路８３２内の圧力）が所定のアンロード運転開始圧力（例えば１MPa）以上に上昇したことを圧力検知手段ＰＳ２が検知した場合（図７のＳ１５），この圧力が所定時間維持されると（Ｓ１６），放気弁を開放し（Ｓ１７），レシーバタンク３２内の圧縮空気を大気放出すると共に，アンローダバルブ３３を閉じて圧縮機本体３１をアンロード運転に移行する（Ｓ１８）ように構成した。
【００９０】
レシーバタンク３２内の圧縮気体の放気を行った後においても，逆止弁ＣＶ６により発泡用空気供給路８３２内の圧力は，アンロード運転開始圧力以上に維持されており，制御装置５０は圧力検知手段ＰＳ２がアンロード運転開始圧力以上の圧力を検知する間，レシーバタンク３２内の圧縮空気を大気放出した状態で圧縮機本体３１のアンロード運転を継続する。
【００９１】
その後，放水が再開して消費側の圧縮空気の圧力（発泡用空気供給路８３２内の圧力）が所定のフルロード運転復帰圧力（例えば０．９２MPa）以下に低下した場合（Ｓ１９），放気弁を閉塞し（Ｓ２０），アンローダバルブ３３を開き（Ｓ２１）圧縮機本体３１をフルロード運転に移行するように構成した。
【００９２】
このように構成することで，泡放水時であっても，放水の停止等によって圧縮空気が消費されずにレシーバタンク３２内の圧力がアンロード運転開始圧力以上に上昇すると，前記アンローダバルブが吸気路を閉じて圧縮機本体への吸入を停止するだけでなく，このアンロード運転が所定時間継続すると，更にレシーバタンク３２内の圧縮空気を大気へ放出して圧縮機本体の吐出側の圧力を低下させ，圧縮機本体３１の駆動に要する動力を低減して，エンジン３の燃料消費量を低減することができるようにした。
【００９３】
また，放水の再開によって圧縮空気が消費されて消費側の圧力がフルロード運転復帰圧力以下に低下すると，レシーバタンク３２内の圧縮空気を大気へ放出することを停止し，前記アンローダバルブ３３が吸気路を開いて圧縮機本体への吸入を再開し，速やかにレシーバタンク３２内の圧力を上昇させ消費側へ圧縮空気を供給するようにした。
【００９４】
このような泡放水時におけるレシーバタンク３２内の圧縮空気の放出を可能とするために，図２に示す実施例では，発泡用空気供給路８３２内の圧力を検知する圧力検知手段ＰＳ２を設け，この圧力検知手段ＰＳ２からの検知信号に基づいて制御装置５０が発泡用空気供給路８３２内の圧力を監視して，前記制御装置５０は，発泡用空気供給路８３２内の圧力が前述した所定のアンロード運転開始圧力以上に上昇すると共に，この状態が所定時間継続されたとき，放気弁４１に開弁信号を出力し，その後，発泡用空気供給路８３２内の圧力が前述した所定のフルロード運転復帰圧力以下に低下したとき，放気弁４１に閉弁信号を出力するように構成した。
【実施例３】
【００９５】
図１及び図２を参照して説明した実施例では，水ポンプ１０と圧縮機本体３１をいずれも回転軸７を介してＰＴＯ５に対し切り離し不能に連結する構成とし，水ポンプ１０が駆動されているときには，常に，圧縮機本体３１も駆動される構成としていた。
【００９６】
これに対し，図３に示す実施例では，水ポンプ１０を切り離し不能にＰＴＯ５に連結する一方，圧縮機本体３１は電磁クラッチ３７を介して水ポンプ１０（水ポンプ１０に連結された回転軸７）に連結し，選択された放水形式の如何に拘わらずＰＴＯ５のＯＮ時には電磁クラッチをつないでおき水ポンプ１０と圧縮機本体３１が共に駆動を開始するように構成するが，通常放水時に，レシーバタンク３２内の潤滑油の温度が，乳化を防止して潤滑油から水を分離できる温度として設定した所定の温度（一例として６０℃）まで上昇したら（図７のＳ２２における「YES」），電磁クラッチ３７を切断し（Ｓ２３），水ポンプ１０とは独立して圧縮機本体３１のみを停止させることで（Ｓ２４），更なるエンジンの燃料消費量を低減するものである。
【００９７】
このような制御を可能とするため，図３に示す実施例では，前述した電磁クラッチ３７の他，レシーバタンク３２内に回収された潤滑油の温度を検知する温度検知手段ＴＳを設け，この温度検知手段ＴＳにより検知された油温があらかじめ設定された温度以上になったとき，制御装置５０が電磁クラッチ３７を切断する制御信号を出力するように構成した。
【実施例４】
【００９８】
なお，泡放水時にレシーバタンク３２内の圧力が所定時間継続して所定のアンロード運転開始圧力以上となったときにレシーバタンク３２内の圧縮空気を放気するようにした図２に示した構成，及び，通常放水時にレシーバタンク３２内の潤滑油の温度が所定の温度以上になった場合に電磁クラッチ３７を切って圧縮機本体３１を停止するようにした図３に示した構成は，それぞれ単独で泡消火装置１の構成に採用するものとしても良いが，図４に示すように上記２つの構成を１台の泡消火装置１に共に設けるものとしても良く，このように構成することで，より一層の燃費の向上を図ることができる。
【００９９】
なお，図４に示す構成において主空気供給路８３１に設けた逆止弁ＣＶ６は，必ずしも設ける必要はなく，例えば逆止弁ＣＶ５の二次側に圧力検知手段ＰＳ２を設ける等，構成要素の配置の変更等によりこれを省略することもできる（実施例２においても同様）。
【符号の説明】
【０１００】
１  （車載型）泡消火装置
３  エンジン
５  ＰＴＯ
７  回転軸
１０  水ポンプ
１０ａ  入口（水ポンプ１０の）
１０ｂ  出口（水ポンプ１０の）
２０  消火剤供給装置
２１  消火剤タンク
２２  消火剤ポンプ
３０  圧縮機
３１  圧縮機本体
３２  レシーバタンク
３３  アンローダバルブ
３３１  弁体
３３１ａ  弁軸
３３１ｂ  フランジ
３３２  ピストン
３３２ａ  ピストン軸
３３２ｂ  フランジ
３３３  シリンダ
３３３ａ  バネ室
３３３ｂ  閉弁受圧室
３３４  バネ
３３５  弁座
３４  吸気制御装置
３４１  圧力レギュレータ
３４２  制御流路
３４２ａ  分岐流路（一方）
３４２ｂ  分岐流路（他方）
３４３  第２制御流路
３４４  均圧弁
３７  クラッチ（電磁クラッチ）
４１  放気弁
４２  放気流路
５０  制御装置
６１  吸水口
６２  第１放水口
６３  第２放水口
６５  エアフィルタ
７０  真空発生装置
７１  エゼクタ
７２  呼び水流路
７３  止水弁
８１  吸水流路
８２  圧力水流路
８２１  主流路
８２２  泡放水用流路
８２３  通常放水用流路
８３  空気供給路
８３１  主空気供給路
８３２  発泡用空気供給路
８３３  真空発生用空気供給路
８４  対比圧導入路
９０  操作パネル
ＣＶ１〜ＣＶ６  逆止弁
ＳＶ１  電磁開閉弁
ＳＶ２  電磁切替弁
ＰＳ１，ＰＳ２  圧力検知手段（圧力センサ）
ＴＳ  温度検知手段（温度センサ）
【図１】
2018117995.tif 000003
【図２】
2018117995.tif 000004
【図３】
2018117995.tif 000005
【図４】
2018117995.tif 000006
【図５】
2018117995.tif 000007
【図６】
2018117995.tif 000008
【図７】
2018117995.tif 000009